(57)【要約】【課題】指紋、声紋などの生体情報を利用した認証確認を簡略化する電子チケット販売システムおよび販売方法を提供する。【解決手段】チケット購入者が携帯電話１０を使用してチケット発券センター２０にチケットを申し込む。チケット発券センター２０は認証局３０に電子証明書の発行依頼をする。認証局３０は電子証明書の発行する際、チケット購入者の生体情報を付加する。チケット発券センター２０はその電子証明書を有する電子チケットを携帯電話１０に送信する。あるイベント参加時に認証確認を行うため、チケット購入者は生体情報を含んだ電子チケットを認証端末４０に送信し、他方で自身の生体情報を入力する。認証端末４０は双方の生体情報を比較し、認証手続きを行う。電子チケットに生体情報が含まれているため、認証端末４０は認証局３０に認証依頼せずとも一定の安全性を保持している。【選択図】        図１
2004295197.tif 000002
【特許請求の範囲】
【請求項１】
チケット購入者が電子チケットに関する電子決済を行うときに利用し、前記電子チケットを記憶する電子チケット記憶手段を有する携帯端末と、
前記電子チケットを作成するチケット発券センターと、
前記電子チケットに付加されることになり、チケット購入者の正当性を保証する電子証明書を作成する認証局と、
チケット購入者の認証手続を担う認証端末とは、互いにネットワークを介して接続されており、チケット購入者と前記電子チケット間の認証確認を行う電子チケット販売システムであって、
チケット購入者は、チケット購入者固有の身体的な特徴を表す生体情報Ａを前記認証局に登録させておき、
チケット購入者のチケット購入に応じて、前記携帯端末は電子チケット購入申し込み情報を前記チケット発券センターに送信し、
前記チケット発券センターは、前記携帯端末より前記電子チケット購入申し込み情報を受信して、対応する電子証明書を発行するように電子証明書発行依頼情報を前記認証局に送信し、
前記認証局は、前記チケット発券センターより前記電子証明書発行依頼情報を受信して、対応する前記電子証明書を作成するが、このとき前記電子証明書にはさらに前記生体情報Ａを付加させておき、前記電子証明書を前記チケット発券センターに送信し、
前記チケット発券センターは、前記認証局より前記電子証明書を受信して、対応する電子チケットを作成し、前記電子チケットを前記携帯端末に送信し、
前記携帯端末は、前記チケット発券センターより前記電子チケットを受信し、前記電子チケットを前記電子チケット記憶手段に記憶させることを特徴とする電子チケット販売システム。
【請求項２】
チケット購入者は、前記携帯端末を持参しており、前記認証端末に対し認証手続きを行う際に、
前記携帯端末は、前記電子チケット記憶手段より前記電子チケットを取り出して、前記電子チケットを前記認証端末に送信し、
一方でチケット購入者は、チケット購入者固有の身体的な特徴を表す生体情報Ｂを前記認証端末に入力し、
前記認証端末は、前記電子チケットに付加されている生体情報Ａと、チケット購入者自身が入力した生体情報Ｂとを比較して認証確認を行い、対応する認証結果を出力することを特徴とする請求項１に記載の電子チケット販売システム。
【請求項３】
チケット購入者が電子チケットに関する電子決済を行うときに利用し、チケット購入者固有の身体的な特徴を表す生体情報Ａを入力する生体情報入力手段と、前記電子チケットを記憶する電子チケット記憶手段とを有し、前記電子チケット記憶手段は取り外し可能であることを特徴とする情報端末と、
前記電子チケットを作成するチケット発券センターと、
前記電子チケットに付加されることになり、チケット購入者の正当性を保証する電子証明書を作成する認証局と、
チケット購入者の認証手続を担う認証端末とは、互いにネットワークを介して接続されており、チケット購入者と前記電子チケット間の認証確認を行う電子チケット販売システムであって、
チケット購入者のチケット購入に応じて、前記生体情報入力手段は、チケット購入者固有の身体的な特徴を表す生体情報Ａが入力されると、前記情報端末は、前記生体情報Ａを前記認証局に送信し、一方で前記情報端末は電子チケット購入申し込み情報を前記チケット発券センターに送信し、
前記チケット発券センターは、前記情報端末より前記電子チケット購入申し込み情報を受信して、対応する電子証明書を発行するように電子証明書発行依頼情報を前記認証局に送信し、
前記認証局は、前記情報端末より前記生体情報Ａを受信し、一方で前記チケット発券センターより前記電子証明書発行依頼情報を受信して、対応する前記電子証明書を作成するが、このとき前記電子証明書にはさらに前記生体情報Ａを付加させておき、前記電子証明書を前記チケット発券センターに送信し、
前記チケット発券センターは、前記認証局より前記電子証明書を受信して、対応する電子チケットを作成し、前記電子チケットを前記情報端末に送信し、
前記情報端末は、前記チケット発券センターより前記電子チケットを受信し、前記電子チケットを前記電子チケット記憶手段に記憶させることを特徴とする電子チケット販売システム。
【請求項４】
チケット購入者は、前記電子チケット記憶手段を持参しており、前記認証端末に対し認証手続きを行う際に、
前記電子チケット記憶手段は、前記電子チケットを取り出して、前記電子チケットを前記認証端末に送信し、
一方でチケット購入者は、チケット購入者固有の身体的な特徴を表す生体情報Ｂを前記認証端末に入力し、
前記認証端末は、前記電子チケットに付加されている生体情報Ａと、チケット購入者自身が入力した生体情報Ｂとを比較して認証確認を行い、対応する認証結果を出力することを特徴とする請求項３に記載の電子チケット販売システム。
【請求項５】
チケット購入者が電子チケットに関する電子決済を行うときに利用し、前記電子チケットを記憶する電子チケット記憶手段を有する携帯端末と、
前記電子チケットを作成するチケット発券センターと、
前記電子チケットに付加されることになり、チケット購入者の正当性を保証する電子証明書を作成する認証局と、
チケット購入者の認証手続を担う認証端末とは、互いにネットワークを介して接続されており、チケット購入者と前記電子チケット間の認証確認を行う電子チケット販売システムにおける電子チケット販売方法であって、
チケット購入者は、チケット購入者固有の身体的な特徴を表す生体情報Ａを前記認証局に登録させておく第１工程と、
チケット購入者のチケット購入に応じて、前記携帯端末は電子チケット購入申し込み情報を前記チケット発券センターに送信する第２工程と、
前記チケット発券センターは、前記携帯端末より前記電子チケット購入申し込み情報を受信して、対応する電子証明書を発行するように電子証明書発行依頼情報を前記認証局に送信する第３工程と、
前記認証局は、前記チケット発券センターより前記電子証明書発行依頼情報を受信して、対応する前記電子証明書を作成するが、このとき前記電子証明書にはさらに前記生体情報Ａを付加させておき、前記電子証明書を前記チケット発券センターに送信する第４工程と、
前記チケット発券センターは、前記認証局より前記電子証明書を受信して、対応する電子チケットを作成し、前記電子チケットを前記携帯端末に送信する第５工程と、
前記携帯端末は、前記チケット発券センターより前記電子チケットを受信し、前記電子チケットを前記電子チケット記憶手段に記憶させる第６工程を有することを特徴とする電子チケット販売方法。
【請求項６】
チケット購入者は、前記第６工程を踏まえた前記携帯端末を持参しており、前記認証端末に対し認証手続きを行う際に、
前記携帯端末は、前記電子チケット記憶手段より前記電子チケットを取り出して、前記電子チケットを前記認証端末に送信する第７工程と、
一方でチケット購入者は、チケット購入者固有の身体的な特徴を表す生体情報Ｂを前記認証端末に入力する第８工程と、
前記認証端末は、前記電子チケットに付加されている生体情報Ａと、チケット購入者自身が入力した生体情報Ｂとを比較して認証確認を行い、対応する認証結果を出力する第９工程を有することを特徴とする請求項５に記載の電子チケット販売方法。
【請求項７】
チケット購入者が電子チケットに関する電子決済を行うときに利用し、チケット購入者固有の身体的な特徴を表す生体情報Ａを入力する生体情報入力手段と、前記電子チケットを記憶する電子チケット記憶手段とを有し、前記電子チケット記憶手段は取り外し可能であることを特徴とする情報端末と、
前記電子チケットを作成するチケット発券センターと、
前記電子チケットに付加されることになり、チケット購入者の正当性を保証する電子証明書を作成する認証局と、
チケット購入者の認証手続を担う認証端末とは、互いにネットワークを介して接続されており、チケット購入者と前記電子チケット間の認証確認を行う電子チケット販売システムにおける電子チケット販売方法であって、
チケット購入者のチケット購入に応じて、前記生体情報入力手段は、チケット購入者固有の身体的な特徴を表す生体情報Ａが入力される第１工程と、
前記第１工程を踏まえて前記情報端末は、前記生体情報Ａを前記認証局に送信し、一方で前記情報端末は電子チケット購入申し込み情報を前記チケット発券センターに送信する第２工程と、
前記チケット発券センターは、前記情報端末より前記電子チケット購入申し込み情報を受信して、対応する電子証明書を発行するように電子証明書発行依頼情報を前記認証局に送信する第３工程と、
前記認証局は、前記情報端末より前記生体情報Ａを受信し、一方で前記チケット発券センターより前記電子証明書発行依頼情報を受信して、対応する前記電子証明書を作成するが、このとき前記電子証明書にはさらに前記生体情報Ａを付加させておき、前記電子証明書を前記チケット発券センターに送信する第４工程と、
前記チケット発券センターは、前記認証局より前記電子証明書を受信して、対応する電子チケットを作成し、前記電子チケットを前記情報端末に送信する第５工程と、
前記情報端末は、前記チケット発券センターより前記電子チケットを受信し、前記電子チケットを前記電子チケット記憶手段に記憶させる第６工程を有することを特徴とする電子チケット販売方法。
【請求項８】
チケット購入者は、前記第６工程を踏まえた前記電子チケット記憶手段を持参しており、前記認証端末に対し認証手続きを行う際に、
前記電子チケット記憶手段は、前記電子チケットを取り出して、前記電子チケットを前記認証端末に送信する第７工程と、
一方でチケット購入者は、チケット購入者固有の身体的な特徴を表す生体情報Ｂを前記認証端末に入力する第８工程と、
前記認証端末は、前記電子チケットに付加されている生体情報Ａと、チケット購入者自身が入力した生体情報Ｂとを比較して認証確認を行い、対応する認証結果を出力する第９工程を有することを特徴とする請求項７に記載の電子チケット販売方法。
【発明の詳細な説明】
【０００１】
【発明の属する技術分野】
本発明は、電子チケット販売システムおよび販売方法に関するものであり、特に生体情報を含んだ電子証明書を付加した電子チケットを販売する電子チケット販売システムおよび販売方法に関する。
【０００２】
【従来の技術】
携帯電話などを使用する従来のチケット販売方法において、電子チケットは、携帯電話画面上のバーコード、またはクレジットカードによって認証を行っている。しかし、この認証方法では、次のような問題があった。
【０００３】
問題点は、チケット購入者以外の人間がチケットを使用することができる、すなわち、チケット購入者が法外な値段で他人にチケットを売買したり、盗難にあったチケットを他人が不正に使用できるということである。さらに、携帯電話画面上のバーコードはチケットの偽造が容易にできるということである。
【０００４】
こうした背景を踏まえて、バイオメトリクスによる認証方法が注目されている。バイオメトリックスによる本人認証では、まずチケット購入者固有の身体的な特徴や特性（生体情報）を計測して、システムなどに登録しておく。そして、チケット購入者が何らかのサービスなどを利用しようとしたときに計測する生体情報が、既に登録されているものと合致するかをチェックし、認証を行う。主な生体情報としては指紋、虹彩、顔貌、静脈、声紋などがある。
【０００５】
バイオメトリック認証を利用する場合、万人不同かつ終生不変であることが学術的に立証されている生体情報を用いるのが良い。指紋や虹彩、網膜などは万人不同かつ終生不変の生体情報と認められている。これらの生体情報による認証は、その複製が困難であることから、セキュリティはより堅固となる。バイオメトリックス認証によって面倒なユーザーＩＤやパスワードを不要とすることは可能である。
【０００６】
チケット販売業者がバイオメトリック認証を利用して携帯情報端末による電子チケットの認証確認を行っている従来技術が例えば特許文献１に記載されている。
【０００７】
特許文献１に記載の技術において、チケット購入者が所有する携帯情報端末には、生体情報を生成する個人識別端末が付属されており、認証確認を行うイベントサーバは、予め前記個人識別端末から入力した前記携帯情報端末のチケット購入者の第１の指紋情報を、そのときに使用した携帯情報端末の電話番号とともに記憶する。
【０００８】
チケットの予約時には、前記個人識別端末から入力した前記携帯情報端末の持主の第２の指紋情報を、前記イベントサーバに記憶された前記第１の指紋情報と照合することで第１の認証確認を行いチケットの予約をする。
【０００９】
次にチケット購入者がイベント会場に入場する時には、前記個人識別端末から入力した前記携帯情報端末の持主の第３の指紋情報をイベント会場に設置されているパソコンに入力し、前記パソコンは前記イベントサーバにアクセスし、前記イベントサーバに記憶された前記第１の指紋情報と照合させることで第２の認証確認を行うことを特徴とする。
【００１０】
しかし、特許文献１に記載の技術では、チケット購入者は指紋照合による認証確認を、チケット予約時と、イベント参加時とで２回行うことになるので、チケット購入者に対しある種の煩雑さを与えることになる。
【００１１】
さらに前記パソコンはチケット購入者の第３の指紋情報を前記イベントサーバに送信し、前記イベントサーバが認証確認を行い、認証結果を前記パソコンに送信する形になるが、認証確認に伴う指紋情報および認証結果の送受信は両者間のネットワークのトラフィック状況により滞ってしまう可能性がある。チケット購入者の入場手続を迅速に行うことを考慮すると、この可能性はできるだけ回避したいところである。
【００１２】
【特許文献１】
特開２００２−０６３３０５号公報
【００１３】
【発明が解決しようとする課題】
そこで本発明では以上の点を鑑みて、チケット購入者のチケット購入手続、ひいては認証手続を簡略化することを可能にする電子チケット販売システムおよび販売方法を提供することを目的とする。
【００１４】
またチケット購入手続にて、チケット購入者側で自身の生体情報を入力することを可能にすることで、認証手続きに関わる認証機関が従来保持することになるチケット購入者の生体情報を登録する必要性を無くし、システム全体の負荷を低減することを可能にする電子チケット販売システムおよび販売方法を提供することを目的とする。
【００１５】
【課題を解決するための手段】
かかる目的を解決するため、請求項１に記載の発明は、チケット購入者が電子チケットに関する電子決済を行うときに利用し、電子チケットを記憶する電子チケット記憶手段を有する携帯端末と、電子チケットを作成するチケット発券センターと、電子チケットに付加されることになり、チケット購入者の正当性を保証する電子証明書を作成する認証局と、チケット購入者の認証手続を担う認証端末とは、互いにネットワークを介して接続されており、チケット購入者と電子チケット間の認証確認を行う電子チケット販売システムであって、チケット購入者は、チケット購入者固有の身体的な特徴を表す生体情報Ａを認証局に登録させておき、チケット購入者のチケット購入に応じて、携帯端末は電子チケット購入申し込み情報をチケット発券センターに送信し、チケット発券センターは、携帯端末より電子チケット購入申し込み情報を受信して、対応する電子証明書を発行するように電子証明書発行依頼情報を認証局に送信し、認証局は、チケット発券センターより電子証明書発行依頼情報を受信して、対応する電子証明書を作成するが、このとき電子証明書にはさらに生体情報Ａを付加させておき、電子証明書をチケット発券センターに送信し、チケット発券センターは、認証局より電子証明書を受信して、対応する電子チケットを作成し、電子チケットを携帯端末に送信し、携帯端末は、チケット発券センターより電子チケットを受信し、電子チケットを電子チケット記憶手段に記憶させることを特徴とする。
【００１６】
請求項２に記載の発明は、請求項１に記載の発明において、チケット購入者は、携帯端末を持参しており、認証端末に対し認証手続きを行う際に、携帯端末は、電子チケット記憶手段より電子チケットを取り出して、電子チケットを認証端末に送信し、一方でチケット購入者は、チケット購入者固有の身体的な特徴を表す生体情報Ｂを認証端末に入力し、認証端末は、電子チケットに付加されている生体情報Ａと、チケット購入者自身が入力した生体情報Ｂとを比較して認証確認を行い、対応する認証結果を出力することを特徴とする。
【００１７】
請求項３に記載の発明は、チケット購入者が電子チケットに関する電子決済を行うときに利用し、チケット購入者固有の身体的な特徴を表す生体情報Ａを入力する生体情報入力手段と、電子チケットを記憶する電子チケット記憶手段とを有し、電子チケット記憶手段は取り外し可能であることを特徴とする情報端末と、電子チケットを作成するチケット発券センターと、電子チケットに付加されることになり、チケット購入者の正当性を保証する電子証明書を作成する認証局と、チケット購入者の認証手続を担う認証端末とは、互いにネットワークを介して接続されており、チケット購入者と電子チケット間の認証確認を行う電子チケット販売システムであって、チケット購入者のチケット購入に応じて、生体情報入力手段は、チケット購入者固有の身体的な特徴を表す生体情報Ａが入力されると、情報端末は、生体情報Ａを認証局に送信し、一方で情報端末は電子チケット購入申し込み情報をチケット発券センターに送信し、チケット発券センターは、情報端末より電子チケット購入申し込み情報を受信して、対応する電子証明書を発行するように電子証明書発行依頼情報を認証局に送信し、認証局は、情報端末より生体情報Ａを受信し、一方でチケット発券センターより電子証明書発行依頼情報を受信して、対応する電子証明書を作成するが、このとき電子証明書にはさらに生体情報Ａを付加させておき、電子証明書をチケット発券センターに送信し、チケット発券センターは、認証局より電子証明書を受信して、対応する電子チケットを作成し、電子チケットを情報端末に送信し、情報端末は、チケット発券センターより電子チケットを受信し、電子チケットを電子チケット記憶手段に記憶させることを特徴とする。
【００１８】
請求項４に記載の発明は、請求項３に記載の発明において、チケット購入者は、電子チケット記憶手段を持参しており、認証端末に対し認証手続きを行う際に、電子チケット記憶手段は、電子チケットを取り出して、電子チケットを認証端末に送信し、一方でチケット購入者は、チケット購入者固有の身体的な特徴を表す生体情報Ｂを認証端末に入力し、認証端末は、電子チケットに付加されている生体情報Ａと、チケット購入者自身が入力した生体情報Ｂとを比較して認証確認を行い、対応する認証結果を出力することを特徴とする。
【００１９】
請求項５に記載の発明は、チケット購入者が電子チケットに関する電子決済を行うときに利用し、電子チケットを記憶する電子チケット記憶手段を有する携帯端末と、電子チケットを作成するチケット発券センターと、電子チケットに付加されることになり、チケット購入者の正当性を保証する電子証明書を作成する認証局と、チケット購入者の認証手続を担う認証端末とは、互いにネットワークを介して接続されており、チケット購入者と電子チケット間の認証確認を行う電子チケット販売システムにおける電子チケット販売方法であって、チケット購入者は、チケット購入者固有の身体的な特徴を表す生体情報Ａを認証局に登録させておく第１工程と、チケット購入者のチケット購入に応じて、携帯端末は電子チケット購入申し込み情報をチケット発券センターに送信する第２工程と、チケット発券センターは、携帯端末より電子チケット購入申し込み情報を受信して、対応する電子証明書を発行するように電子証明書発行依頼情報を認証局に送信する第３工程と、認証局は、チケット発券センターより電子証明書発行依頼情報を受信して、対応する電子証明書を作成するが、このとき電子証明書にはさらに生体情報Ａを付加させておき、電子証明書をチケット発券センターに送信する第４工程と、チケット発券センターは、認証局より電子証明書を受信して、対応する電子チケットを作成し、電子チケットを携帯端末に送信する第５工程と、携帯端末は、チケット発券センターより電子チケットを受信し、電子チケットを電子チケット記憶手段に記憶させる第６工程を有することを特徴とする。
【００２０】
請求項６に記載の発明は、請求項５に記載の発明において、チケット購入者は、第６工程を踏まえた携帯端末を持参しており、認証端末に対し認証手続きを行う際に、携帯端末は、電子チケット記憶手段より電子チケットを取り出して、電子チケットを認証端末に送信する第７工程と、一方でチケット購入者は、チケット購入者固有の身体的な特徴を表す生体情報Ｂを認証端末に入力する第８工程と、認証端末は、電子チケットに付加されている生体情報Ａと、チケット購入者自身が入力した生体情報Ｂとを比較して認証確認を行い、対応する認証結果を出力する第９工程を有することを特徴とする。
【００２１】
請求項７に記載の発明は、チケット購入者が電子チケットに関する電子決済を行うときに利用し、チケット購入者固有の身体的な特徴を表す生体情報Ａを入力する生体情報入力手段と、電子チケットを記憶する電子チケット記憶手段とを有し、電子チケット記憶手段は取り外し可能であることを特徴とする情報端末と、電子チケットを作成するチケット発券センターと、電子チケットに付加されることになり、チケット購入者の正当性を保証する電子証明書を作成する認証局と、チケット購入者の認証手続を担う認証端末とは、互いにネットワークを介して接続されており、チケット購入者と電子チケット間の認証確認を行う電子チケット販売システムにおける電子チケット販売方法であって、チケット購入者のチケット購入に応じて、生体情報入力手段は、チケット購入者固有の身体的な特徴を表す生体情報Ａが入力される第１工程と、第１工程を踏まえて情報端末は、生体情報Ａを認証局に送信し、一方で情報端末は電子チケット購入申し込み情報をチケット発券センターに送信する第２工程と、チケット発券センターは、情報端末より電子チケット購入申し込み情報を受信して、対応する電子証明書を発行するように電子証明書発行依頼情報を認証局に送信する第３工程と、認証局は、情報端末より生体情報Ａを受信し、一方でチケット発券センターより電子証明書発行依頼情報を受信して、対応する電子証明書を作成するが、このとき電子証明書にはさらに生体情報Ａを付加させておき、電子証明書をチケット発券センターに送信する第４工程と、チケット発券センターは、認証局より電子証明書を受信して、対応する電子チケットを作成し、電子チケットを情報端末に送信する第５工程と、情報端末は、チケット発券センターより電子チケットを受信し、電子チケットを電子チケット記憶手段に記憶させる第６工程を有することを特徴とする。
【００２２】
請求項８に記載の発明は、請求項７に記載の発明において、チケット購入者は、第６工程を踏まえた電子チケット記憶手段を持参しており、認証端末に対し認証手続きを行う際に、電子チケット記憶手段は、電子チケットを取り出して、電子チケットを認証端末に送信する第７工程と、一方でチケット購入者は、チケット購入者固有の身体的な特徴を表す生体情報Ｂを認証端末に入力する第８工程と、認証端末は、電子チケットに付加されている生体情報Ａと、チケット購入者自身が入力した生体情報Ｂとを比較して認証確認を行い、対応する認証結果を出力する第９工程を有することを特徴とする。
【００２３】
【発明の実施の形態】
以下、本発明の実施の形態を図面を参照して説明する。本実施形態は、コンサート、スポーツイベント、列車、飛行機、船などの乗り物のチケットに指紋、声紋などの生体情報を含んだ電子証明書を付加し、ネットワークを介してそれを携帯電話に送信して、携帯電話もしくはユーザ端末のＩＣカードをチケットとするチケット販売システムを特徴とするが、このチケット販売システムは、チケット自体にチケット購入者の生体情報が含まれているので、チケット購入者がスポーツイベント、コンサートの入場時、または列車、飛行機、船などへの搭乗時にその場で認証確認を行うことを可能にしている。特に搭乗手続に伴う認証確認は、パスポートに生体情報を付加することでより簡単に行える。
【００２４】
＜実施の形態１の構成＞
図１を参照すると、実施の形態１におけるチケット販売システムは、携帯電話１０と、チケット発券センター２０と、認証局３０と、認証端末４０と、これらを相互に接続するネットワーク１００から構成されている。
【００２５】
携帯電話１０は、チケット購入者が所有しており、携帯電話１０の携帯電話番号、および指紋、声紋などの生体情報を認証局３０に送信し、登録させておく。
またチケット購入時には、チケット購入者は携帯電話１０を使用してチケット発券センター２０にチケット購入の申し込みをするため、対応する電子チケットを発行してもらう。
またスポーツイベント、コンサートの入場、または乗り物などの搭乗の際に、チケット購入者は携帯電話１０を使用して認証手続きを行うため、電子チケットを、スポーツイベント、コンサートの入場、または乗り物などに設置されている認証端末４０に送信する。
【００２６】
チケット発券センター２０は、チケット購入者の購入の申し込みに応じて、認証局３０に、対応する電子証明書の発行を依頼する。
また、認証局３０により発行された電子証明書を受信して、電子証明書を付加した電子チケットを作成して、電子チケットをチケット購入者の携帯電話１０に送付する。
【００２７】
認証局３０は、チケット購入者より購入者の携帯電話番号、および指紋、声紋などの生体情報を受信し、登録しておく。
また、チケット発券センター２０の電子証明書の発行の依頼に応じて、あらかじめ登録されているチケット購入者の生体情報を含んだ電子証明書を作成して、電子証明書をチケット発券センター２０に発行する。
【００２８】
認証端末４０は、スポーツイベント、コンサートの入場、または乗り物などに設置されており、チケット購入者の生体情報の入力を受けることで認証確認を行う装置である。認証端末４０は、携帯電話１０から電子チケットを受信し、電子チケット内の生体情報を読み取り、一方でチケット購入者により入力された生体情報を読み取り、双方の生体情報を比較して認証確認を行う。
【００２９】
＜実施の形態１の動作＞
次に、図１、図２を参照して実施の形態１の動作について詳細に説明する。
【００３０】
図２を参照すると、チケット購入者は、あらかじめ電子チケットを受信する携帯電話１０の携帯電話番号と、指紋、声紋などの生体情報を認証局３０に登録させておく（ステップＡ１）。
【００３１】
チケット購入者は、チケット購入時に携帯電話１０を使用して、チケット発券センター２０にチケット購入の申し込みをする（ステップＢ１）。
【００３２】
チケット発券センター２０は、チケット購入者の購入の申し込みに応じて、認証局３０に電子証明書の発行を依頼する（ステップＢ２）。
【００３３】
認証局３０は、チケット発券センター２０の電子証明書の発行の依頼に応じて、ステップＡ１で登録された生体情報を含んだ電子証明書を作成して、チケット発券センター２０に発行する（ステップＢ３）。
【００３４】
チケット発券センター２０は、ステップＢ３で作成された電子証明書を受信して、電子証明書を付加した電子チケットを作成して、電子チケットをチケット購入者の携帯電話１０にネットワーク１００を介して送付する（ステップＢ４）。
【００３５】
チケット購入者は、ステップＢ４で送付された電子チケットを携帯電話１０で受け取る（ステップＢ５）。
【００３６】
チケット購入者は、スポーツイベント、コンサートの入場、または乗り物の搭乗の際に、認証手続きを行うために携帯電話１０から電子チケットを、スポーツイベント、コンサートの入場、または乗り物などに設置されている認証端末４０に送信する（ステップＣ１）。
【００３７】
ステップＣ１の後に認証確認のためにチケット購入者は、指紋、声紋などの生体情報を認証端末４０に入力する（ステップＣ２）。
【００３８】
認証端末４０は、ステップＣ１により携帯電話１０から電子チケットを受信し、電子チケット内の生体情報を読み取り、ステップＣ２で入力された生体情報を読み取り、双方の生体情報を比較して認証確認を行う（ステップＣ３）。
【００３９】
認証端末４０によって認証されたら、チケット購入者は、会場に入場、または乗り物に搭乗する。
【００４０】
通常の認証確認は認証局が行うことになる。というのも生体情報は元々認証局に登録されているものであり、チケット購入者の認証確認を行うときは、チケット購入者の生体情報が認証端末に入力された後、認証端末は認証局に対し入力された生体情報を送信し、認証局に認証依頼をすることになるためである。このとき認証局が元々登録されている生体情報と、チケット購入者により入力された生体情報とを比較し、相応の認証結果を出力し、認証結果を認証端末に送信することで、一連の認証手続きが行われる。
【００４１】
上記の認証手続きでは、認証局と認証端末との間でネットワークを介して生体情報及び認証結果の送受信が行われることになる。このような認証手続ではネットワークのトラフィック状況の如何により送受信が滞る可能性が生じる。特にスポーツイベント、コンサートの入場、または乗り物の搭乗の際に認証を行う場合にチケット購入者の出入りが非常に多くなり混雑した状況が生じるときは、認証確認は迅速に行われる必要が生じ、先の可能性は回避したいところである。
【００４２】
本実施形態では、チケット購入者が入手する電子チケットには既に生体情報が含まれているので、一連の認証手続きは認証端末４０だけで行えるようになる。従ってネットワークを介して認証局３０と送受信する必要もなく、先の可能性は問題にならない。
【００４３】
以上の動作処理により、チケット購入者以外の人間がチケットを使用することができなくなる。その理由は、チケット使用時に携帯電話番号、生体情報によってチケット使用者の身分の確認を行うためである。
【００４４】
また、チケットを他人に自由に譲渡することができなくなる。特に、法外な値段で売買することや、他人のチケットを不正に使用することを防ぐことができる。その理由は、チケットに個人の生体情報を含んでいるため、購入者本人しか使用できないためである。
【００４５】
また、チケットの偽造が困難なものになり、イベント主催者などが、不審人物の入場、または搭乗をチェックすることができるようになる。その理由は、電子チケットに個人の生体情報を含んでいるためである。
【００４６】
次に、本発明の実施の形態２について詳細に説明する。
【００４７】
＜実施の形態２の構成＞
図３を参照すると、実施の形態２におけるチケット販売システムは、ユーザ端末５０と、ＩＣカード６０と、指紋スキャナ７０と、チケット発券センター２０と、認証局３０と、認証端末４０と、これらを相互に接続するネットワーク１００から構成されている。
【００４８】
ユーザ端末５０は、チケット購入者が所有しており、チケット発券センター２０より発行されるＩＣカード６０と、チケット購入者の生体情報を生成する指紋スキャナ７０を格納しておく。
またチケット購入時には、チケット購入者はユーザ端末５０を使用してチケット発券センター２０にチケット購入の申し込みをするため、指紋スキャナ７０が生成する生体情報を認証局３０に送信する。それからチケット発券センター２０で発行された電子チケットを受信し、電子チケットをＩＣカード６０に記憶させる。
【００４９】
ＩＣカード６０は、チケット発券センター２０によりチケット購入者へ発行されるものであり、ユーザ端末５０に付随していて、チケット購入に伴う生体情報と、チケット発券センター２０により送信される電子チケットが記憶される。
またスポーツイベント、コンサートの入場、または乗り物などの搭乗の際に、チケット購入者はＩＣカード６０を使用して認証手続きを行うため、電子チケットを、スポーツイベント、コンサートの入場、または乗り物などに設置されている認証端末４０に送信する。
【００５０】
指紋スキャナ７０は、チケット購入者の生体情報を生成するものであり、ユーザ端末５０に付随している。チケット購入者がチケット購入する時に指紋スキャナ７０を使用して生体情報を生成し、ユーザ端末５０により生体情報が認証局３０に送信される。
【００５１】
チケット発券センター２０は、チケット購入者の購入の申し込みに応じて、認証局３０に、対応する電子証明書の発行を依頼する。
また、認証局３０により発行された電子証明書を受信して、電子証明書を付加した電子チケットを作成して、電子チケットをチケット購入者のユーザ端末５０に送付する。
【００５２】
認証局３０は、チケット購入時にチケット購入者が送信する生体情報を受信し、他方チケット発券センター２０の電子証明書の発行の依頼に応じて、チケット購入者の生体情報を含んだ電子証明書を作成して、電子証明書をチケット発券センター２０に発行する。
【００５３】
認証端末４０は、スポーツイベント、コンサートの入場、または乗り物などに設置されており、チケット購入者の生体情報の入力を受けることで認証確認を行う装置である。認証端末４０は、チケット購入者の所有するＩＣカード６０から電子チケットを受信し、電子チケット内の生体情報を読み取り、一方でチケット購入者により入力された生体情報を読み取り、双方の生体情報を比較して認証確認を行う。
【００５４】
実施の形態２においては、あらかじめ認証局３０に生体情報を登録する代わりに、チケット購入時に指紋スキャナ７０を使用して生体情報を認証局３０に送信する点と、チケットとして携帯電話１０の代わりにユーザ端末５０に付随するＩＣカード６０を利用する点で実施の形態１と異なる。
【００５５】
従って、チケット購入者は、あらかじめ生体情報を認証局３０に登録する必要がなく、チケット購入時に指紋の情報を送信する機能を有する。認証局３０は生体情報を登録する必要がない分、負荷が低減する。また、チケット発券センター２０から送信された電子チケットは、ＩＣカード６０に書き込まれてＩＣカード自体がチケットとなる機能を有する。
【００５６】
＜実施の形態２の動作＞
次に、図３、図４を参照して実施の形態２の動作について詳細に説明する。
【００５７】
図４を参照すると、まずチケット発券センター２０は、チケット購入者にＩＣカード６０をあらかじめ発行しておく（ステップＡ１１）。
【００５８】
チケット購入者は、チケット購入時にユーザ端末５０を使用してチケット発券センター２０にチケット購入の申し込みをする（ステップＢ１１）。
【００５９】
続いてチケット購入者は指紋スキャナ７０を使用して生体情報を生成し、生成情報を認証局３０に送信する（ステップＢ１２）。
【００６０】
チケット発券センター２０は、チケット購入者の購入の申し込みに応じて、認証局３０に電子証明書の発行を依頼する（ステップＢ１３）。
【００６１】
認証局３０は、ステップＢ１２にてユーザ端末５０より送信された生体情報を含んだ電子証明書を作成して、電子証明書をチケット発券センター２０に発行する（ステップＢ１４）。
【００６２】
チケット発券センター２０は、ステップＢ１４にて認証局３０により作成された電子証明書を受信し、電子証明書を付加した電子チケットをチケット購入者のユーザ端末５０にネットワーク１００を介して送付する（ステップＢ１５）。
【００６３】
ユーザ端末５０はステップＢ１５にてチケット発券センター２０より送信された電子チケットを受け取り、ＩＣカード６０に書き込む（ステップＢ１６）。
【００６４】
チケット購入者は、スポーツイベント、コンサートの入場、または乗り物の搭乗の際に、ＩＣカード６０を持参し、スポーツイベント、コンサートの入場、または乗り物に設置されている認証端末４０にＩＣカード６０をかざすことで認証手続きを行う（ステップＣ１１）。
【００６５】
ステップＣ１１の後に認証確認のためにチケット購入者は、指紋の情報をその認証端末４０に入力する（ステップＣ１２）。
【００６６】
認証端末４０は、ステップＣ１１によりＩＣカード６０から電子チケットを受信し、電子チケット内の生体情報を読み取り、ステップＣ１２で入力された生体情報を読み取り、双方の生体情報を比較して認証確認を行う（ステップＣ１３）。
【００６７】
認証端末４０によって認証されたら、チケット購入者は、会場に入場、または乗り物に搭乗する。
【００６８】
通常の認証確認は認証局が行うことになる。というのも生体情報は元々認証局に登録されているものであり、チケット購入者の認証確認を行うときは、チケット購入者の生体情報が認証端末に入力された後、認証端末は認証局に対し入力された生体情報を送信し、認証局に認証依頼をすることになるためである。このとき認証局が元々登録されている生体情報と、チケット購入者により入力された生体情報とを比較し、相応の認証結果を出力し、認証結果を認証端末に送信することで、一連の認証手続きが行われる。
【００６９】
上記の認証手続きでは、認証局と認証端末との間でネットワークを介して生体情報及び認証結果の送受信が行われることになる。このような認証手続ではネットワークのトラフィック状況の如何により送受信が滞る可能性が生じる。特にスポーツイベント、コンサートの入場、または乗り物の搭乗の際に認証を行う場合にチケット購入者の出入りが非常に多くなり混雑した状況が生じるときは、認証確認は迅速に行われる必要が生じ、先の可能性は回避したいところである。
【００７０】
本実施形態では、チケット購入者が入手するＩＣカード内の電子チケットには既に生体情報が含まれているので、一連の認証手続きは認証端末４０だけで行えるようになる。従ってネットワークを介して認証局３０と送受信する必要もなく、先の可能性は問題にならない。
【００７１】
以上の動作処理により、チケット購入者以外の人間がチケットを使用することができなくなる。その理由は、チケット使用時にＩＣカード内の生体情報によってチケット使用者の身分の確認を行うためである。
【００７２】
また、チケットを他人に自由に譲渡することができなくなる。特に、法外な値段で売買することや、他人のチケットを不正に使用することを防ぐことができる。その理由は、チケットに個人の生体情報を含んでいるため、購入者本人しか使用できないためである。
【００７３】
また、チケットの偽造が困難なものになり、イベント主催者などが、不審人物の入場、または搭乗をチェックすることができるようになる。その理由は、電子チケットに個人の生体情報を含んでいるためである。
【００７４】
【発明の効果】
本発明により、チケット購入者のチケット購入手続、ひいては認証手続を簡略化することが可能になる。
【００７５】
またチケット購入手続にて、チケット購入者側で自身の生体情報を入力することを可能にすることで、認証手続きに関わる認証機関が従来保持することになるチケット購入者の生体情報を登録する必要性を無くし、システム全体の負荷を低減することが可能になる。
【図面の簡単な説明】
【図１】実施の形態１の構成ブロック図である。
【図２】実施の形態１の動作処理タイミングチャートである。
【図３】実施の形態２の構成ブロック図である。
【図４】実施の形態２の動作処理タイミングチャートである。
【符号の説明】
１０  携帯電話
２０  チケット発券センター
３０  認証局
４０  認証端末
５０  ユーザ端末
６０  ＩＣカード
７０  指紋スキャナ
１００  ネットワーク
【図１】
2004295197.tif 000003
【図２】
2004295197.tif 000004
【図３】
2004295197.tif 000005
【図４】
2004295197.tif 000006